(57)【要約】【課題】            折板の輸送を不要とし、現場にて断熱材が貼着された鋼板およびその折板を製造可能とする走行式断熱材貼付装置を提供する。【解決手段】        走行体が設置台を備え、該設置台に、鋼板の搬送ラインにおいて鋼板の一面に断熱材を貼着する装置が設置されている。この走行体の設置台に設置された、鋼板の搬送ラインにおいて鋼板の一面に断熱材を貼着する装置は、鋼板のコイルを支持するアンコイラと、コイルから鋼板を引き出すピンチロールと、ピンチロールを介して引き出された鋼板に接着剤を塗布する接着剤塗布装置と、塗布された接着剤を加熱乾燥する加熱装置と、断熱材のコイルを取付ける取付部と、加熱装置から送られてくる鋼板に、取付部に取付けられた断熱材コイルから断熱材を供給し、供給された断熱材を鋼板に圧着する圧着ロールと、断熱材を貼り付けた鋼板を所定長さに切断する切断機とが、鋼板の搬送ラインに設置されている。【選択図】          図１
2005329540.tif 000002
【特許請求の範囲】
【請求項１】
走行体が設置台を備え、該設置台に、鋼板の搬送ラインにおいて鋼板の一面に断熱材を貼着する装置が設置されていることを特徴とする走行式断熱材貼付装置。
【請求項２】
前記走行体の設置台に設置された、鋼板の搬送ラインにおいて鋼板の一面に断熱材を貼着する装置は、鋼板のコイルを支持するアンコイラと、コイルから鋼板を引き出すピンチロールと、ピンチロールを介して引き出された鋼板に接着剤を塗布する接着剤塗布装置と、塗布された接着剤を加熱乾燥する加熱装置と、断熱材のコイルを取付ける取付部と、加熱装置から送られてくる鋼板に、取付部に取付けられた断熱材コイルから断熱材を供給し、供給された断熱材を鋼板に圧着する圧着ロールと、断熱材を貼り付けた鋼板を所定長さに切断する切断機とが、鋼板の搬送ラインに設置されていることを特徴とする請求項１記載の走行式断熱材貼付装置。
【請求項３】
前記走行体の設置台に設置された、鋼板の搬送ラインにおいて鋼板の一面に断熱材を貼着する装置は、制御部と、圧着及び離間可能な圧着ロールと、センサ部と、長さ計測手段とを具備し、
制御部は、センサ部が鋼板先端位置を検出すると鋼板の移動を停止させ、供給された断熱材先端が鋼板先端と一致して重ね合されたことを検出すると離間していた圧着ロールを圧着させて断熱材先端を鋼板先端に貼着し、
長さ計測手段が設定した長さを検出すると鋼板の移動を停止させ、切断機を制御して鋼板を所定長に切断することを特徴とする請求項２記載の走行式断熱材貼付装置。
【請求項４】
前記走行体の設置台に設置された、鋼板の搬送ラインにおいて鋼板の一面に断熱材を貼着する装置は、屋根または幌体にて保護されていることを特徴とする請求項１乃至３のいずれかに記載の走行式断熱材貼付装置。
【請求項５】
前記屋根または幌体は、設置台に着脱可能であることを特徴とする請求項４記載の走行式断熱材貼付装置。
【請求項６】
前記鋼板の搬送ラインは、折り返しコンベアを介しこれまでの搬送方向とは逆方向に折り返されていることを特徴とする請求項１乃至４のいずれかに記載の走行式断熱材貼付装置。
【請求項７】
前記走行体はトラックであり、設置台はトラックの荷台であることを特徴とする請求項１乃至４のいずれかに記載の走行式断熱材貼付装置。
【請求項８】
前記走行体であるトラックは、荷台の周囲に開閉自在の側板を具備するものであり、該側板には側板を略水平に支持するアウトリガーが設けられていることを特徴とする請求項７記載の走行式断熱材貼付装置。
【発明の詳細な説明】
【技術分野】
【０００１】
この発明は、鋼板に断熱材を貼付して断熱鋼板を製造する走行式の断熱材貼付装置に関する。
【背景技術】
【０００２】
従来、鋼板に断熱材が貼付されてなる断熱鋼板は、断熱材貼付装置により製造されている。この断熱材貼付装置は、鋼板の搬送ラインにおいて、搬送されてくる鋼板に断熱材を供給し、断熱材を鋼板に圧着して製造する構成となっており、この時の断熱材を鋼板に貼着する方式において、鋼板に断熱材を接着剤で貼付する接着剤貼付方式のもの（例えば、特許文献１参照）、鋼板に断熱材を熱融着する熱貼付方式のもの（例えば、特許文献２参照）、および両者を兼用したもの（例えば、特許文献３参照）とがある。
例えば、鋼板に断熱材を接着剤で貼付する接着剤貼付方式の断熱材貼付装置は、鋼板の搬送ラインの架台に、鋼板のコイルを支持するアンコイラ、コイルから鋼板を引き出すピンチロール、ピンチロールを介して引き出された鋼板に接着剤を塗布する接着剤塗布装置、塗布された接着剤を加熱乾燥する加熱装置、断熱材のコイルを取付けるアンコイラ、加熱装置から送られてくる鋼板にコイルから断熱材を供給し、供給された断熱材を鋼板に圧着する圧着ロール、断熱材を貼り付けた鋼板を所定長に切断する切断機、等が設けられたものである。
これが熱貼付方式の断熱材貼付装置では、接着剤塗布装置は不要となるが、加熱装置は断熱材が融着する程に鋼板を加熱できるものであり、冷却装置も備えるものとなる。
【０００３】
このような断熱材貼付装置は、前記のように鋼板の搬送ラインの架台に、鋼板のコイルを支持するアンコイラ、コイルから鋼板を引き出すピンチロール、ピンチロールを介して引き出された鋼板に接着剤を塗布する接着剤塗布装置、塗布された接着剤を加熱乾燥する加熱装置または断熱材を融着するために鋼板を加熱する加熱装置、断熱材のコイルを取付けるアンコイラ（取付部）、加熱装置から送られてくる鋼板にコイルから断熱材を供給し、供給された断熱材を鋼板に圧着する圧着ロール、断熱材を貼り付けた鋼板を所定長に切断する切断機、等を備えるものであり、そのため重量が重く、ラインも長くなり、さらに加熱装置として加熱コイルやガスバーナーを使用するため危険となる、等の故に工場に設置固定されて使用されている。しかも断熱材貼付装置で製造された断熱材が貼着された鋼板は、このあと折板成形機に搬送されて折板、例えば、屋根用折板や壁材とされるため、これを加えると装置は更に大きく重くなるし、ラインも長くなるため、これも工場設置の要因ともなっている。
【特許文献１】特開平７−２４６５９号公報（特許請求の範囲、図１）
【特許文献２】特許第２９８４５７４号公報（特許請求の範囲、００１７、００１８、図１）
【特許文献３】特許第２９６５８２３号公報（請求項１、図１）
【発明の開示】
【発明が解決しようとする課題】
【０００４】
以上のように従来の断熱材が貼付された鋼板及びその折板（例えば、屋根用折板）は、工場生産となるため工場から作業現場まで輸送しなければならない。しかし、折板（例えば、屋根用折板や壁材）は、非常に長尺なものであり、しかも鋼板であるため重量が重く、輸送が大変な作業となるばかりでなく、輸送コストも嵩む課題がある。また、非常に長尺な折板で輸送に困難なものは、輸送可能な長さの折板として輸送して現場にて継ぎ足して必要とする折板としている。これでは継ぎ足し作業の手数が増加するばかりでなく、継ぎ目なしの折板の要求に応えられない課題がある。
この発明は、このような課題に鑑み現場にて断熱材が貼着された鋼板およびその折板を製造可能とする前記課題を解決した走行式断熱材貼付装置を提供せんとするものである。
【課題を解決するための手段】
【０００５】
前記課題を解決するため、この発明の走行式断熱材貼付装置は、走行体が設置台を備え、該設置台に、鋼板の搬送ラインにおいて鋼板の一面に断熱材を貼着する装置が設置されていることを特徴とする。
これにより断熱材貼付装置は、現場に移動させていることができ、現場にて鋼板に断熱材を貼着することが可能となる。従って、折板成形機を現場に輸送し、この発明に連続させることで、その折板も現場にて製造可能となる。その結果、長尺で重量が重く大変な作業である折板の輸送がなくなるし、輸送は、コイルにした鋼板や断熱材となるので輸送が容易となり低コストとすることができる。また、現場での製造なので、輸送が困難な非常に長尺な折板も製造可能となり、継ぎ目なしの長尺な折板の提供が可能となる。
なお、この発明の断熱材は、特に制限はなく、従来公知のものは全て採用可能である。例えば、合成樹脂製のものやアルミ箔を積層したものを例示できる。
【０００６】
また、この発明の前記走行体の設置台に設置された、鋼板の搬送ラインにおいて鋼板の一面に断熱材を貼着する装置は、鋼板のコイルを支持するアンコイラと、コイルから鋼板を引き出すピンチロールと、ピンチロールを介して引き出された鋼板に接着剤を塗布する接着剤塗布装置と、塗布された接着剤を加熱乾燥する加熱装置と、断熱材のコイルを取付ける取付部と、加熱装置から送られてくる鋼板に、取付部に取付けられた断熱材コイルから断熱材を供給し、供給された断熱材を鋼板に圧着する圧着ロールと、断熱材を貼り付けた鋼板を所定長さに切断する切断機とが、鋼板の搬送ラインに設置されていることを特徴とする。
これによりアンコイラに装着されたコイルから引き出された鋼板には、接着剤塗布装置により接着剤が塗布され、この塗布された接着剤は加熱装置で加熱乾燥され、この加熱装置から送られてくる鋼板に取付部に装着された断熱材のコイルから断熱材が供給され、この供給された断熱材は圧着ロールで鋼板に圧着されて貼付されることによって、断熱材を貼付した鋼板を得ることができ、その後、この断熱材を貼付した鋼板は、切断機で所定長に切断される。これらは全て鋼板の搬送ラインにおいて行われる。
【０００７】
また、この発明の前記走行体の設置台に設置された、鋼板の搬送ラインにおいて鋼板の一面に断熱材を貼着する装置は、制御部と、圧着及び離間可能な圧着ロールと、センサ部と、長さ計測手段とを具備し、
制御部は、センサ部が鋼板先端位置を検出すると鋼板の移動を停止させ、供給された断熱材先端が鋼板先端と一致して重ね合されたことを検出すると離間していた圧着ロールを圧着させて断熱材先端を鋼板先端に貼着し、
長さ計測手段が設定した長さを検出すると鋼板の移動を停止させ、切断機を制御して鋼板を所定長に切断することを特徴とする。
これにより制御部に制御させることによって、鋼板の搬送ラインにおいて鋼板に断熱材を自動的に貼着し、所定長に自動的に切断し、設定した任意の長さの断熱材を貼付した鋼板を得ることができる。
【０００８】
また、この発明の前記走行体の設置台に設置された、鋼板の搬送ラインにおいて鋼板の一面に断熱材を貼着する装置は、屋根または幌体にて保護されていることを特徴とする。
これにより雨や雪が降っても製造作業が可能となるし、冬の寒さも防止できて作業が容易となる。この屋根または幌体は、雨や雪が降っても製造作業を可能とするものであるので、これは収納室としても良い。
また、前記屋根または幌体が、設置台に着脱可能であると、不要時は取り外しておくことができるので好ましい。
【０００９】
また、この発明の前記鋼板の搬送ラインは、折り返しコンベアを介しこれまでの搬送方向とは逆方向に折り返されていることを特徴とする。
これにより鋼板の搬送ラインを狭い範囲に形成できるので小型化でき、走行体の設置台に容易に設置可能となる。
なお、この発明の走行式断熱材貼付装置は、接着剤塗布装置を使用せず断熱材も供給せず、鋼板だけを供給して所定長に切断する使用方法も含むものである。それにより、その後の折板成形機で鋼板だけの折板を製造することができるので、現場にて鋼板だけの折板も製造可能となる。
【００１０】
また、この発明の前記走行体としてトラックを例示でき、設置台としてトラックの荷台を例示できる。この場合のトラックが、荷台の周囲に開閉自在の側板を具備するものである場合は、側板を略水平に支持するアウトリガーを備えると、製造作業の際に側板を水平に開いて作業台として使用することが可能となるので望ましい。このアウトリガーは、固定式でも着脱式でもよいが、着脱式だと不使用時には取り外しておくことができるので好ましい。
なお、この発明の走行式断熱材貼付装置は、接着剤塗布装置を使用せず断熱材も供給せず、鋼板だけを供給して所定長に切断する使用方法も含むものである。それにより、その後の折板成形機で鋼板だけの折板を製造することができるので、現場にて鋼板だけの折板も製造可能となる。
【発明の効果】
【００１１】
この発明の走行式断熱材貼付装置によれば、次のような効果を奏する。
（１）断熱材貼付装置は、走行式なので現場に移動させることができ、現場にて断熱材を貼付した鋼板を製造することができる。従って、折板形成機も現場に輸送し、この走行式断熱材貼付装置に連続させることで、該走行式断熱材貼付装置で製造した断熱材を貼付した鋼板は、現場にて折板（例えば、屋根用折板、壁材）に製造できる。
（２）そのため、長尺で重量が重く大変な作業である折板の輸送がなくなるし、現場には輸送が容易な鋼板や断熱材のコイルで済む。それにより輸送コストの低減を図ることができる。
【００１２】
（３）従来は非常に長尺な折板は輸送が困難なため、適宜の長さに切断して輸送し、そのため、折板に継ぎ目が発生していたが、この発明は現場で製造できるので、輸送が困難な非常に長尺な折板も継ぎ目なしで提供可能となる。
（４）鋼板の搬送ラインにおいて、所定長さの断熱材を貼付した鋼板を自動的に得ることができる。特に、制御部を備えているので、必要とする動作は制御部で制御して自動的に製造することができる。
（５）鋼板の搬送ラインにおいて鋼板の一面に断熱材を貼着する装置は、屋根または幌体にて保護されているので、雨や雪が降っても製造作業が可能であるし、冬の寒さも防止できる。
（６）鋼板の搬送ラインが、折り返しコンベアを介しこれまでの搬送方向とは逆方向に折り返されているので、鋼板の搬送ラインを狭い範囲に形成でき、小型化ができる。
【００１３】
（７）走行体がトラックであり、設置台がトラックの荷台であると、走行体として既存のトラックを使用できるので製造経費の節減が可能となり、安価に提供できる。
（８）走行体としてのトラックが、荷台の周囲に開閉自在の側板を具備するものである場合、該側板を略水平に支持するアウトリガーを備えると、製造作業の際に側板を水平に開いて作業台として使用することが可能となるので、作業スペースが広くなり、作業がし易くなる。
（９）この発明の走行式断熱材貼付装置は、接着剤塗布装置を使用せず断熱材も供給せず、鋼板だけを供給して所定長に切断する使用方法によれば、その後の折板成形機で鋼板だけの折板を製造することができるので、現場にて鋼板だけの折板も製造可能となる。
【発明を実施するための最良の形態】
【００１４】
以下、この発明の実施の形態を図面と共に詳細に説明する。図１はこの発明の実施の形態を示す走行式断熱材貼付装置の斜視図、図２はこの発明の実施の形態を示す走行体を省略した走行式断熱材貼付装置の正面図、図３はこの発明の実施の形態を示す走行式断熱材貼付装置の要部斜視図、図４はこの発明の実施の形態を示す走行式断熱材貼付装置の部分斜視図、図５はこの発明の実施の形態を示す走行式断熱材貼付装置の全体斜視図である。
【００１５】
この発明の走行式断熱材貼付装置は、走行体３の設置台４に、鋼板の搬送ライン２において鋼板の一面に断熱材を貼着する装置（以下、貼付装置と略称する）１が設置されて構成される。図示の本例では走行体３としてトラックが、設置台４としてトラックの荷台が示されている。
前記貼付装置１は、鋼板１０のコイル１０ｃを支持するアンコイラ５と、コイル１０ｃから鋼板１０を引き出すピンチロール６と、ピンチロール６を介して引き出された鋼板１０に接着剤を塗布する接着剤塗布装置７と、塗布された接着剤を加熱乾燥する加熱装置８と、断熱材２０のコイル２０ｃを取付ける取付部９と、加熱装置８から送られてくる鋼板１０に、取付部９に取り付けられた断熱材のコイル２０ｃから断熱材２０を供給し、供給された断熱材２０を鋼板１０に圧着する圧着ロール１１（図３、図４参照）と、断熱材２０を貼り付けた鋼板１０を所定長に切断する切断機１２と、鋼板１０の搬送ライン２を、これまでの搬送方向とは逆方向に折り返す折り返しコンベア１３とで大略構成され、これらの装置は設置台４上に設置した架台１４の鋼板１０の搬送ライン２に設けられる。
【００１６】
アンコイラ５は、鋼板１０のコイル１０ｃを装着し、鋼板１０を繰り出すものであり、このアンコイラ５に装着された鋼板１０は、ピンチロール６を介して引き出される。この時、アンコイラ５も強制的（例えば、モータで）に回転させ、鋼板１０を繰り出すようにしてもよい。
ピンチロール６は、上下の対に設けられ、この対のロールで鋼板１０を上下から狭圧して回転することによって鋼板１０を引き出すものである。このピンチロール６は１対だけでなく複数対であってもよく、その後の鋼板１０の搬送ライン２に設けてもよい。鋼板１０の搬送ライン２に設けると、鋼板１０の移動が確実になる。例えば、搬送ライン２をコンベアで形成すると、コンベアでの移動が確実となる。
【００１７】
接着剤塗布装置７は、移動してきた鋼板１０に接着剤を塗布するものであり、公知の装置を採用し得る。例えば、接着剤タンクの接着剤を転写ロールを介して塗布ロールに転写し、この回転する塗布ロールで通過する鋼板に接着剤を塗布する装置を例示できる。
加熱装置８は、接着剤塗布装置７で鋼板１０に塗布された接着剤を、加熱乾燥して、次工程での断熱材２０の貼付に最適な粘度にするものである。この加熱装置８としては、熱風を供給して加熱するもの、電気的に加熱するもの、ガスバーナーで加熱するもの、等の従来公知の手段を採用し得る。鋼板１０の搬送ライン２は、加熱装置８を貫通して設けられており、接着剤塗布装置７で接着剤が塗布された鋼板１０は、加熱装置８を通って移動し、この時に接着剤を加熱乾燥される。この時の加熱乾燥具合は、加熱温度や鋼板の移動速度を調整することによって設定できる。
【００１８】
取付部９は、断熱材２０のコイル２０ｃを取付けて、加熱装置８から移動してくる鋼板１０に断熱材２０を供給するものである。この断熱材２０の供給は、図３および図４に示すようにピンチロール２６により引き出され、切断手段２７で断熱材２０が所定長に切断されて供給される。この取付部９に取付けられた断熱材１０のコイル１０ｃから供給された断熱材２０は、加熱装置８から移動してくる鋼板１０上に合せられ、塗布された接着剤で貼付される。この貼付は合せられた断熱材２０を鋼板１０に圧着ロール１１で圧着することによって確実となる。この圧着ロール１１は、図３および図４に示すようにシリンダ１５に回転自在に取付けられて圧着及び離間可能となっており、離間している圧着ロール１１は、鋼板１０の先端がこの圧着ロール１１の位置に到達し、断熱材２０が供給されて合せられるとシリンダ１５により圧着するようになっている。これにより断熱材２０が貼付された鋼板１０が得られるが、この断熱材２０が貼付された鋼板１０は、切断機１２で所定長に切断される。
このようにして得られた断熱材２０が貼付された鋼板１０は、折り返しコンベア１３でこれまでの搬送方向とは逆方向に折り返されて排出される。この排出通路の延長上に折板成形機を設置すれば、得られた断熱材２０を貼付した鋼板１０を折板に成形できる。
【００１９】
実際には、この貼付装置１は、制御部１６（図１参照）、長さ計測手段１７（図３参照）及び必要に応じセンサ部（図示省略）を具備し、制御部１６で制御されて駆動する。例えば、制御部１６は、ＣＰＵ、ＲＯＭおよびＲＡＭ等で構成され、長さ計測手段１７が設定した長さを検出すると鋼板１０の移動を一時停止させ、切断機１２を制御して断熱材２０が貼付された鋼板１０を所定長に切断したり、センサ部（図示省略）が鋼板１０の先端位置を検出すると鋼板１０の移動を一時停止させ、供給された断熱材２０の先端が鋼板１０の先端と一致して重ね合されたことを検出すると圧着ロール１１を制御して、離間していた圧着ロール１１を圧着させて断熱材２０の先端を鋼板１０の先端に合せて貼着するようにする。また、加熱装置８に温度センサ（図示省略）を設け、この温度センサの検知信号により制御部１６で加熱温度を制御するようにしてもよい。
前記長さ計測手段１７としては、ロータリーエンコーダのような従来公知の手段を採用でき、センサ部としては位置センサを例示でき、温度センサとしては熱電対、白金測温抵抗体、サーミスタ測温体、等を例示できる。
【００２０】
しかして、貼付装置１によれば、アンコイラ５に装着されたコイル１０ｃから引き出された鋼板１０には、接着剤塗布装置７により接着剤が塗布され、この塗布された接着剤は加熱装置８で加熱乾燥され、取付部９に装着された断熱材２０のコイル２０ｃから断熱材２０が供給され、この供給された断熱材２０は圧着ロール１１で鋼板１０に圧着されて貼付されることによって、断熱材２０を貼付した鋼板１０を得ることができ、その後、切断機１２で所定長に切断することによって所定長の断熱材２０を貼付した鋼板１０を得ることができ、この鋼板１０は折り返しコンベア１３で折り返されて排出される。然るに、この貼付装置１は走行体３に設置され移動可能となっているため、現場に移動して現場で断熱材２０を貼付した鋼板１０を製造することができる。
なお、この発明の走行式断熱材貼付装置は、接着剤塗布装置７を使用せず、断熱材２０も供給せず、鋼板だけを供給して所定長に切断する方法を使用してもよい。この場合は、その後の折板成形機で鋼板１０だけの折板を製造することができるので、現場にて鋼板１０だけの折板を製造することができる。
【００２１】
また、走行体３の設置台４に設置した貼付装置１は、屋根または幌体で保護すると、雨や雪が降っても製造作業が可能となるので好ましい。図５は貼付装置１が幌体１８で保護されている場合を示している。この幌体１８は、設置台４に立設した支柱１９で支持して張設している。この支柱１９を設置台４に着脱自在とすることによって幌体１８は着脱可能となる。図６（ａ）（ｂ）は支柱１９を設置台４に着脱自在に立設する場合を示している。図６（ａ）に示すように設置台４上に台座２１が固着され、この台座２１に着脱自在に支持させ図６（ｂ）に示すように支柱１９を立設している。なお、本例では幌体１８で示しているが、これは屋根であっても、収納室であってもよい。
【００２２】
また、この実施の形態では、走行体３としてトラックが、設置台４として周囲に開閉自在の側板２２を備える荷台が示されている。走行体３がこのようなトラックの場合には、図５に示すように側板２２を開いた時、略水平に支持するアウトリガー２３を備えると、製造作業の際に側板２２を水平に開いて作業台として使用することが可能となるので望ましい。
図７（ａ）（ｂ）はアウトリガー２３を側板２２に着脱自在に取付ける場合を示している。図７（ａ）に示すように側板２２にフック部２５が設けられ、このフック部２５にアウトリガー２３の取付片２４を係止させることによって側板２２に取付け、図７（ｂ）に示すように側板２２を略水平に支持している。このアウトリガー２３は、側板２２に固定式でもよいが、この場合は走行時などに邪魔にならないように、折り畳み式とか進退式とするのが好ましい。
【００２３】
なお、前記実施の形態は、この発明を制限するものではなく、この発明は要旨を逸脱しない範囲内において種々の変形が許容される。
【図面の簡単な説明】
【００２４】
【図１】この発明の実施の形態を示す走行式断熱材貼付装置の斜視図である。
【図２】この発明の実施の形態を示す走行体を省略した走行式断熱材貼付装置の正面図である。
【図３】この発明の実施の形態を示す走行式断熱材貼付装置の要部斜視図である。
【図４】この発明の実施の形態を示す走行式断熱材貼付装置の部分斜視図である。
【図５】この発明の実施の形態を示す走行式断熱材貼付装置の全体斜視図である。
【図６】幌体を支持する支柱の取付けを説明する斜視図（ａ）（ｂ）である。
【図７】アウトリガーの取付けを説明する斜視図（ａ）（ｂ）である。
【符号の説明】
【００２５】
１  鋼板の搬送ラインにおいて鋼板の一面に断熱材を貼付する装置（貼付装置）
２  搬送ライン
３  走行体
４  設置台
５  アンコイラ
６  ピンチロール
７  接着剤塗布装置
８  加熱装置
９  取付部
１０  鋼板
１０ｃ  鋼板のコイル
１１  圧着ロール
１２  切断機
１３  折り返しコンベア
１４  架台
１６  制御部
１８  幌体
２０  断熱材
２０ｃ  断熱材のコイル
２２  側板
２３  アウトリガー
２７  切断手段
【図１】
2005329540.tif 000003
【図２】
2005329540.tif 000004
【図３】
2005329540.tif 000005
【図４】
2005329540.tif 000006
【図５】
2005329540.tif 000007
【図６】
2005329540.tif 000008
【図７】
2005329540.tif 000009